(57)【要約】  部品が散在されるステージと、ステージに散在された部品を保持する保持具と、ステージに散在された部品を撮像する撮像装置と、撮像装置による撮像データに基づいて、ステージに散在された部品のうち保持具により保持可能な部品の数である保持可能部品数を取得する制御装置とを備える部品供給システム。
2019053888.tif 000002
【特許請求の範囲】
【請求項１】
部品が散在されるステージと、
前記ステージに散在された部品を保持する保持具と、
前記ステージに散在された部品を撮像する撮像装置と、
前記撮像装置による撮像データに基づいて、前記ステージに散在された部品のうち前記保持具により保持可能な部品の数である保持可能部品数を取得する制御装置と
を備える部品供給システム。
【請求項２】
前記制御装置が、
前記撮像装置による撮像データに基づいて、前記ステージに散在された部品の数である散在部品数を取得し、前記散在部品数に対する前記保持可能部品数の比率を演算する請求項１に記載の部品供給システム。
【請求項３】
前記制御装置が、
第１の前記保持可能部品数である第１保持可能部品数と第１の前記散在部品数である第１散在部品数とを取得した後に、前記ステージに散在された部品の数を増加、若しくは減少させ、第２の前記散在部品数である第２散在部品数と第２の前記保持可能部品数である第２保持可能部品数とを取得し、前記第２散在部品数に対する前記第２保持可能部品数の比率を演算する請求項２に記載の部品供給システム。
【請求項４】
前記制御装置が、
前記第１散在部品数に対する前記第１保持可能部品数の比率と、前記第２散在部品数に対する前記第２保持可能部品数の比率とのうちの高い比率の前記散在部品数のほうを、高比率部品数として特定する請求項３に記載の部品供給システム。
【請求項５】
前記制御装置が、
前記第２散在部品数と前記第２保持可能部品数とを取得した後に、前記ステージに散在された部品の数を増加、若しくは減少させ、第３の前記散在部品数である第３散在部品数と第３の前記保持可能部品数である第３保持可能部品数とを取得し、前記第３散在部品数に対する前記第３保持可能部品数の比率が、記憶されている前記高比率部品数の比率より高い場合に、前記高比率部品数を前記第３散在部品数に更新する請求項４に記載の部品供給システム。
【請求項６】
前記制御装置が、
前記ステージに散在される部品の種類と、前記高比率部品数とを関連付けて記憶させる請求項４または請求項５に記載の部品供給システム。
【発明の詳細な説明】
【技術分野】
【０００１】
本発明は、部品が散在されるステージを備える部品供給システムに関するものである。
【背景技術】
【０００２】
部品供給装置には、下記特許文献に記載されているように、ステージの上に散在された状態で部品を供給するものがある。
【先行技術文献】
【特許文献】
【０００３】
【特許文献１】特開平１０−２０２５６９号公報
【発明の概要】
【発明が解決しようとする課題】
【０００４】
本発明は、部品供給装置において、ステージ上の部品を適切に供給することを課題とする。
【課題を解決するための手段】
【０００５】
上記課題を解決するために、本明細書は、部品が散在されるステージと、前記ステージに散在された部品を保持する保持具と、前記ステージに散在された部品を撮像する撮像装置と、前記撮像装置による撮像データに基づいて、前記ステージに散在された部品のうち前記保持具により保持可能な部品の数である保持可能部品数を取得する制御装置とを備える部品供給システムを開示する。
【発明の効果】
【０００６】
本開示によれば、撮像装置による撮像データに基づいて、ステージに散在された部品のうち保持具により保持可能な部品の数が解るため、ステージ上の部品を適切に供給することができる。
【図面の簡単な説明】
【０００７】
【図１】部品実装機を示す斜視図である。
【図２】部品実装機の部品装着装置を示す斜視図である。
【図３】ばら部品供給装置を示す斜視図である。
【図４】部品供給ユニットを示す斜視図である。
【図５】部品供給ユニットを示す透過図である。
【図６】部品供給ユニットを示す透過図である。
【図７】部品散在装置を示す斜視図である。
【図８】部品散在装置を示す斜視図である。
【図９】部品保持ヘッドを示す斜視図である。
【図１０】電子回路部品が収納された状態の部品受け部材を示す図である。
【図１１】部品実装機の制御装置を示すブロック図である。
【図１２】ステージの上にリード部品が散在された状態を示す図である。
【図１３】パターンマッチングにより認識されるリード部品を示す図である。
【発明を実施するための形態】
【０００８】
以下、本発明を実施するための形態として、本発明の実施例を、図を参照しつつ詳しく説明する。
（Ａ）部品実装機の構成
図１に、部品実装機１０を示す。部品実装機１０は、回路基材１２に対する部品の実装作業を実行するための装置である。部品実装機１０は、装置本体２０、基材搬送保持装置２２、部品装着装置２４、撮像装置２６，２８、部品供給装置３０、ばら部品供給装置３２、制御装置（図１１参照）３４を備えている。なお、回路基材１２として、回路基板、三次元構造の基材等が挙げられ、回路基板として、プリント配線板、プリント回路板等が挙げられる。
【０００９】
装置本体２０は、フレーム部４０と、そのフレーム部４０に上架されたビーム部４２とによって構成されている。基材搬送保持装置２２は、フレーム部４０の前後方向の中央に配設されており、搬送装置５０とクランプ装置５２とを有している。搬送装置５０は、回路基材１２を搬送する装置であり、クランプ装置５２は、回路基材１２を保持する装置である。これにより、基材搬送保持装置２２は、回路基材１２を搬送するとともに、所定の位置において、回路基材１２を固定的に保持する。なお、以下の説明において、回路基材１２の搬送方向をＸ方向と称し、その方向に直角な水平の方向をＹ方向と称し、鉛直方向をＺ方向と称する。つまり、部品実装機１０の幅方向は、Ｘ方向であり、前後方向は、Ｙ方向である。
【００１０】
部品装着装置２４は、ビーム部４２に配設されており、２台の作業ヘッド６０，６２と作業ヘッド移動装置６４とを有している。各作業ヘッド６０，６２は、吸着ノズル（図２参照）６６を有しており、吸着ノズル６６によって部品を保持する。また、作業ヘッド移動装置６４は、Ｘ方向移動装置６８とＹ方向移動装置７０とＺ方向移動装置７２とを有している。そして、Ｘ方向移動装置６８とＹ方向移動装置７０とによって、２台の作業ヘッド６０，６２は、一体的にフレーム部４０上の任意の位置に移動させられる。また、各作業ヘッド６０，６２は、図２に示すように、スライダ７４，７６に着脱可能に装着されており、Ｚ方向移動装置７２は、スライダ７４，７６を個別に上下方向に移動させる。つまり、作業ヘッド６０，６２は、Ｚ方向移動装置７２によって、個別に上下方向に移動させられる。
【００１１】
撮像装置２６は、下方を向いた状態でスライダ７４に取り付けられており、作業ヘッド６０とともに、Ｘ方向，Ｙ方向およびＺ方向に移動させられる。これにより、撮像装置２６は、フレーム部４０上の任意の位置を撮像する。撮像装置２８は、図１に示すように、フレーム部４０上の基材搬送保持装置２２と部品供給装置３０との間に、上を向いた状態で配設されている。これにより、撮像装置２８は、作業ヘッド６０，６２の吸着ノズル６６に保持された部品を撮像する。
【００１２】
部品供給装置３０は、フレーム部４０の前後方向での一方側の端部に配設されている。部品供給装置３０は、トレイ型部品供給装置７８とフィーダ型部品供給装置（図示省略）とを有している。トレイ型部品供給装置７８は、トレイ上に載置された状態の部品を供給する装置である。フィーダ型部品供給装置は、テープフィーダ（図示省略）、スティックフィーダ（図示省略）によって部品を供給する装置である。
【００１３】
ばら部品供給装置３２は、フレーム部４０の前後方向での他方側の端部に配設されている。ばら部品供給装置３２は、ばらばらに散在された状態の複数の部品を整列させて、整列させた状態で部品を供給する装置である。つまり、任意の姿勢の複数の部品を、所定の姿勢に整列させて、所定の姿勢の部品を供給する装置である。以下に、部品供給装置３２の構成について詳しく説明する。なお、部品供給装置３０および、ばら部品供給装置３２によって供給される部品として、電子回路部品，太陽電池の構成部品，パワーモジュールの構成部品等が挙げられる。また、電子回路部品には、リードを有する部品，リードを有さない部品等が有る。
【００１４】
ばら部品供給装置３２は、図３に示すように、本体８０と、部品供給ユニット８２と、撮像装置８４と、部品引渡し装置８６とを有している。
【００１５】
（ａ）部品供給ユニット
部品供給ユニット８２は、部品供給器８８と部品散在装置（図４参照）９０と部品戻し装置（図４参照）９２とを含み、それら部品供給器８８と部品散在装置９０と部品戻し装置９２とが一体的に構成されたものである。部品供給ユニット８２は、本体８０のベース９６に着脱可能に組み付けられており、ばら部品供給装置３２では、５台の部品供給ユニット８２が、Ｘ方向に１列に並んで配設されている。
【００１６】
部品供給器８８は、概して直方体の箱形状をなし、図４及び図５に示すように、Ｙ方向に延びるように配設されている。なお、Ｙ方向を部品供給器８８の前後方向と記載し、部品供給ユニット８２において、部品戻し装置９２が配設されている側に向かう方向を、前方と記載し、部品供給器８８が配設されている側に向かう方向を、後方と記載する。
【００１７】
部品供給器８８は、上面と前面とにおいて開口しており、上面の開口は、部品の投入口９７とされ、前面の開口は部品の排出口９８とされている。部品供給器８８では、投入口９７の下方に、傾斜板１０４が配設されている。傾斜板１０４は、部品供給器８８の後方側の端面から中央方向に向かって、下方に傾斜するように配設されている。
【００１８】
また、傾斜板１０４の前方側に、図５に示すように、コンベア装置１０６が配設されている。コンベア装置１０６は、傾斜板１０４の前方側端部から部品供給器８８の前方に向かって、上方に傾斜するように配設されている。なお、コンベア装置１０６のコンベアベルト１１２は、図５での反時計回りに回転する。つまり、コンベア装置１０６による搬送方向は、傾斜板１０４の前端部から前方に向かって斜め上方とされている。
【００１９】
また、コンベア装置１０６の前方側端部の下方には、傾斜板１２６が配設されている。傾斜板１２６は、部品供給器８８の前方側の端面からコンベア装置１０６の下方に向かって配設されており、後方側の端部が斜め下方に傾斜している。さらに、その傾斜板１２６の下方にも、傾斜板１２８が配設されている。傾斜板１２８は、コンベア装置１０６の中央部の下方から部品供給器８８の排出口９８に向かって、前方側の端部が下方に位置するように傾斜している。
【００２０】
また、ベース９６には、図４に示すように、１対のサイドフレーム部１３０が組み付けられている。１対のサイドフレーム部１３０は、対向した状態で互いに平行且つ、Ｙ方向に延びるように立設されている。そして、1対のサイドフレーム部１３０の間の距離は、部品供給器８８の幅方向の寸法より僅かに大きくされており、１対のサイドフレーム部１３０の間に、部品供給器８８が着脱可能に装着されている。
【００２１】
部品散在装置９０は、部品支持部材１５０と部品支持部材移動装置１５２とを含む。部品支持部材１５０は、ステージ１５６と１対の側壁部１５８とによって構成されている。ステージ１５６は、概して長手形状の板形状をなし、１対のサイドフレーム部１３０の間に装着された部品供給器８８の下方から前方に延び出すように、配設されている。なお、ステージ１５６の上面は、概して水平とされており、図５に示すように、部品供給器８８の傾斜板１２８の前方側の端部と僅かなクリアランスのある状態で配設されている。また、１対の側壁部１５８は、図４に示すように、ステージ１５６の長手方向の両側部に立設された状態で固定されており、各側壁部１５８の上端は、ステージ１５６の上面より上方に延び出している。
【００２２】
また、部品支持部材移動装置１５２は、部品支持部材１５０をエアシリンダ（図１１参照）１６６の作動によりＹ方向にスライドさせる。この際、部品支持部材１５０は、部品供給器８８の下方に格納された格納状態（図６参照）と、部品供給器８８の下方から露出した露出状態（図５参照）との間で移動する。
【００２３】
部品戻し装置９２は、図７に示すように、部品収容容器１８０と容器搖動装置１８１とを含む。部品収容容器１８０は、概して箱状をなし、底面が円弧形状とされている。部品収容容器１８０は、部品支持部材１５０のステージ１５６の前方側の端部において搖動可能に保持されており、容器搖動装置１８１の作動により、揺動する。この際、部品収容容器１８０は、開口を上方に向けた収容姿勢（図７参照）と、開口を部品支持部材１５０のステージ１５６の上面に向けた戻し姿勢（図８参照）との間で搖動する。
【００２４】
（ｂ）撮像装置
撮像装置８４は、図３に示すように、カメラ２９０とカメラ移動装置２９２とを含む。カメラ移動装置２９２は、ガイドレール２９６とスライダ２９８とを含む。ガイドレール２９６は、部品供給器８８の上方において、ばら部品供給装置３２の幅方向（Ｘ方向）に延びるように、本体８０に固定されている。スライダ２９８は、ガイドレール２９６にスライド可能に取り付けられており、電磁モータ（図１１参照）２９９の作動により、任意の位置にスライドする。また、カメラ２９０は、下方を向いた状態でスライダ２９８に装着されている。
【００２５】
（ｃ）部品引渡し装置
部品引渡し装置８６は、図３に示すように、部品保持ヘッド移動装置３００と部品保持ヘッド３０２と２台のシャトル装置３０４とを含む。
【００２６】
部品保持ヘッド移動装置３００は、Ｘ方向移動装置３１０とＹ方向移動装置３１２とＺ方向移動装置３１４とを含む。Ｙ方向移動装置３１２は、Ｘ方向に延びるように、部品供給ユニット８２の上方に配設されたＹスライダ３１６を有しており、Ｙスライダ３１６は、電磁モータ（図１１参照）３１９の駆動により、Ｙ方向の任意の位置に移動する。Ｘ方向移動装置３１０は、Ｙスライダ３１６の側面に配設されたＸスライダ３２０を有しており、Ｘスライダ３２０は、電磁モータ（図１１参照）３２１の駆動により、Ｘ方向の任意の位置に移動する。Ｚ方向移動装置３１４は、Ｘスライダ３２０の側面に配設されたＺスライダ３２２を有しており、Ｚスライダ３２２は、電磁モータ（図１１参照）３２３の駆動により、Ｚ方向の任意の位置に移動する。
【００２７】
部品保持ヘッド３０２は、図９に示すように、ヘッド本体３３０と吸着ノズル３３２とノズル旋回装置３３４とノズル回転装置３３５とを含む。ヘッド本体３３０は、Ｚスライダ３２２と一体的に形成されている。吸着ノズル３３２は、部品を保持するものであり、ホルダ３４０の下端部に着脱可能に装着されている。ホルダ３４０は、支持軸３４４において屈曲可能とされており、ノズル旋回装置３３４の作動により、ホルダ３４０が上方向に９０度屈曲する。これにより、ホルダ３４０の下端部に装着されている吸着ノズル３３２は、９０度旋回し、旋回位置に位置する。つまり、吸着ノズル３３２は、ノズル旋回装置３３４の作動により、非旋回位置と旋回位置との間で旋回する。もちろん、非旋回位置と旋回位置との間の角度で位置決め停止させることも可能である。また、ノズル回転装置３３５は、吸着ノズル３３２をそれの軸心周りに回転させる。
【００２８】
また、２台のシャトル装置３０４の各々は、図３に示すように、部品キャリヤ３８８と部品キャリヤ移動装置３９０とを含み、部品供給ユニット８２の前方側に横方向に並んで、本体８０に固定されている。部品キャリヤ３８８には、５個の部品受け部材３９２が、横方向に一列に並んだ状態で装着されており、各部品受け部材３９２に、部品が載置される。
【００２９】
なお、ばら部品供給装置３２は、種々の部品を供給することが可能であり、部品受け部材３９２は、部品の形状に応じて種々のものが用意されている。ここでは、ばら部品供給装置３２により供給される電子回路部品として、図１０に示すように、リードを有するリード部品４１０に対応する部品受け部材３９２について説明する。リード部品４１０は、ブロック状の部品本体４１２と、部品本体４１２の底面から突出する２本のリード４１４とから構成されている。
【００３０】
また、部品受け部材３９２には、リード部品４１０に応じた形状の部品受容凹部４１６が形成されている。部品受容凹部４１６は、段付き形状の凹部であり、部品受け部材３９２の上面に開口する本体部受容凹部４１８と、その本体部受容凹部４１８の底面に開口するリード受容凹部４２０とから構成されている。そして、リード部品４１０は、リード４１４が下方を向く姿勢で、部品受容凹部４１６の内部に挿入される。これにより、リード４１４がリード受容凹部４２０に挿入されるとともに、部品本体４１２が本体部受容凹部４１８に挿入された状態で、リード部品４１０が部品受容凹部４１６の内部に載置される。
【００３１】
また、部品キャリヤ移動装置３９０は、図３に示すように、板状の長手部材であり、前後方向に延びるように、部品供給ユニット８２の前方側に配設されている。部品キャリヤ移動装置３９０の上面には、部品キャリヤ３８８が前後方向にスライド可能に配設されており、電磁モータ（図１１参照）４３０の駆動により、前後方向の任意の位置にスライドする。なお、部品キャリヤ３８８が、部品供給ユニット８２に接近する方向にスライドした際には、部品保持ヘッド移動装置３００による部品保持ヘッド３０２の移動範囲内に位置する部品受取位置までスライドする。一方、部品キャリヤ３８８が、部品供給ユニット８２から離れる方向にスライドした際には、作業ヘッド移動装置６４による作業ヘッド６０，６２の移動範囲内に位置する部品供給位置までスライドする。
【００３２】
また、制御装置３４は、図１１に示すように、統括制御装置４５０と、複数の個別制御装置（図では１つのみ図示されている）４５２と、画像処理装置４５４とを含む。統括制御装置４５０は、コンピュータを主体として構成されたものであり、基材搬送保持装置２２，部品装着装置２４，撮像装置２６，撮像装置２８，部品供給装置３０，ばら部品供給装置３２に接続されている。これにより、統括制御装置４５０は、基材搬送保持装置２２，部品装着装置２４，撮像装置２６，撮像装置２８，部品供給装置３０，ばら部品供給装置３２を統括して制御する。複数の個別制御装置４５２は、コンピュータを主体として構成されたものであり、基材搬送保持装置２２，部品装着装置２４，撮像装置２６，撮像装置２８，部品供給装置３０，ばら部品供給装置３２に対応して設けられている（図では、ばら部品供給装置３２に対応する個別制御装置４５２のみが図示されている）。
【００３３】
ばら部品供給装置３２の個別制御装置４５２は、部品散在装置９０，部品戻し装置９２，カメラ移動装置２９２，部品保持ヘッド移動装置３００，部品保持ヘッド３０２，シャトル装置３０４に接続されている。これにより、ばら部品供給装置３２の個別制御装置４５２は、部品散在装置９０，部品戻し装置９２，カメラ移動装置２９２，部品保持ヘッド移動装置３００，部品保持ヘッド３０２，シャトル装置３０４を制御する。また、画像処理装置４５４は、撮像装置８４に接続されており、撮像装置８４により撮像された撮像データを処理する。その画像処理装置４５４は、ばら部品供給装置３２の個別制御装置４５２に接続されている。これにより、ばら部品供給装置３２の個別制御装置４５２は、撮像装置８４により撮像された撮像データを取得する。
【００３４】
また、ばら部品供給装置３２は記憶装置４５８を有している。その記憶装置４５８は、個別制御装置４５２に接続されており、個別制御装置４５２からの指令に従って、各種情報を記憶する。さらに、個別制御装置４５２は、部品実装機１０の外部に配設されたサーバ４６０と通信し、サーバ４６０と各種情報の送受信を行うことが可能とされている。
【００３５】
（Ｂ）部品実装機の作動
部品実装機１０は、上述した構成によって、基材搬送保持装置２２に保持された回路基材１２に対して部品の装着作業が行われる。具体的には、回路基材１２が、作業位置まで搬送され、その位置において、クランプ装置５２によって固定的に保持される。次に、撮像装置２６が、回路基材１２の上方に移動し、回路基材１２を撮像する。これにより、回路基材１２の保持位置の誤差に関する情報が得られる。また、部品供給装置３０若しくは、ばら部品供給装置３２は、所定の供給位置において、部品を供給する。なお、ばら部品供給装置３２による部品の供給に関しては、後で詳しく説明する。そして、作業ヘッド６０，６２の何れかが、部品の供給位置の上方に移動し、吸着ノズル６６によって部品を保持する。続いて、部品を保持した作業ヘッド６０，６２が、撮像装置２８の上方に移動し、撮像装置２８によって、吸着ノズル６６に保持された部品が撮像される。これにより、部品の保持位置の誤差に関する情報が得られる。そして、部品を保持した作業ヘッド６０，６２が、回路基材１２の上方に移動し、保持している部品を、回路基材１２の保持位置の誤差，部品の保持位置の誤差等を補正し、回路基材１２上に装着する。
【００３６】
（Ｃ）ばら部品供給装置の作動
（ａ）ばら部品供給装置によるリード部品の供給
ばら部品供給装置３２では、リード部品４１０が、作業者によって部品供給器８８の投入口９７から投入され、その投入されたリード部品４１０が、部品供給ユニット８２，部品引渡し装置８６の作動により、部品キャリヤ３８８の部品受け部材３９２に載置された状態で供給される。
【００３７】
詳しくは、作業者は、部品供給器８８の上面の投入口９７から、リード部品４１０を投入する。この際、部品支持部材１５０は、部品支持部材移動装置１５２の作動により、部品供給器８８の下方に移動しており、格納状態とされている（図６参照）。なお、部品支持部材１５０が格納状態とされている際に、部品支持部材１５０の前方側の端部に配設された部品収容容器１８０は、部品供給器８８の前方に位置しており、部品収容容器１８０の開口を上方に向けた姿勢（収容姿勢）とされている。
【００３８】
部品供給器８８の投入口９７から投入されたリード部品４１０は、部品供給器８８の傾斜板１０４の上に落下し、傾斜板１０４の前方側の下端まで転がり落ちる。この際、傾斜板１０４の前方側の下端まで転がり落ちたリード部品４１０は、傾斜板１０４の前方側の下端と、コンベア装置１０６の後方側の下端との間に山積される。そして、コンベア装置１０６が作動されることで、コンベア装置１０６のコンベアベルト１１２が図６での反時計回りに周回する。これにより、傾斜板１０４とコンベアベルト１１２との間に山積されたリード部品４１０が、コンベアベルト１１２によって斜め上方に向かって搬送される。
【００３９】
そして、コンベアベルト１１２によって搬送されたリード部品４１０は、コンベア装置１０６の前方側の上端から傾斜板１２６の上に落下する。その傾斜板１２６の上に落下したリード部品４１０は、傾斜板１２６の上を後方に向かって転がり落ち、傾斜板１２８の上に落下する。その傾斜板１２８の上に落下したリード部品４１０は前方に向かって転がり落ち、部品供給器８８の前方側の排出口９８から排出される。
【００４０】
これにより、部品供給器８８の排出口９８から排出されたリード部品４１０は、部品収容容器１８０の内部に収容される。そして、部品供給器８８から所定量のリード部品４１０が排出されると、つまり、コンベア装置１０６が一定量作動すると、コンベア装置１０６が停止する。次に、部品支持部材１５０が、部品支持部材移動装置１５２の作動により、格納状態から前方に向かって移動する。
【００４１】
そして、部品支持部材１５０が格納状態から所定量、前方に向かって移動したタイミングで、部品戻し装置９２の容器搖動装置１８１が作動し、部品収容容器１８０が搖動する。これにより、部品収容容器１８０の姿勢が、開口を上方に向けた姿勢（収容姿勢）から、開口をステージ１５６に向けた姿勢（戻し姿勢）に勢いよく変化する。この際、部品収容容器１８０に収容されたリード部品４１０が、ステージ１５６に向かって勢いよく放出される。これにより、部品収容容器１８０からステージ１５６の上にリード部品４１０が散在される。
【００４２】
なお、部品支持部材１５０のステージ１５６の上にリード部品４１０が散在されると、図１２に示すように、リード部品４１０は、概ね４つの姿勢でステージ１５６の上に散在される。具体的には、第１の姿勢として、リード４１４の延び出す面が側方を向き、その２本のリード４１４が概して水平方向に並んだ状態の姿勢で、リード部品４１０は散在される。また、第２の姿勢として、リード４１４の延び出す面が側方を向き、その２本のリード４１４が概して鉛直方向に並んだ状態の姿勢で、リード部品４１０は、散在される。また、第３の姿勢として、リード４１４の延び出す面が上方を向いた状態の姿勢で、リード部品４１０は散在される。また、第４の姿勢として、２個以上のリード部品４１０が重なった姿勢で、リード部品４１０は散在される。なお、リード部品４１０を散在される姿勢によって区別する際に、第１の姿勢のリード部品４１０ａ、第２の姿勢のリード部品４１０ｂ、第３の姿勢のリード部品４１０ｃ、第４の姿勢のリード部品４１０ｄと記載する。
【００４３】
リード部品４１０が、上述したようにステージ１５６の上に散在されると、撮像装置８４のカメラ２９０が、カメラ移動装置２９２の作動により、部品支持部材１５０の上方に移動する。そして、ステージ１５６の上に散在されているリード部品４１０が、カメラ２９０により撮像される。なお、カメラ２９０の視野角、つまり、撮像範囲はステージ１５６より広いため、ステージ１５６の全体、つまり、ステージ１５６の上に散在されている全てのリード部品４１０が、一度の撮像により撮像される。そして、カメラ２９０により撮像された撮像データに基づいて、ピックアップの対象となるリード部品（以下、「ピックアップ対象部品」と略す場合がある）が、パターンマッチングによって特定される。
【００４４】
具体的には、カメラ２９０によるリード部品４１０の撮像データに基づいて、リード部品４１０の外形線（アウトライン）が特定され、リード部品４１０の上面の形状、つまり、リード部品４１０の上方からの視点における形状が演算される。さらに、撮像データに基づいて、リード部品４１０の位置も演算される。一方、記憶装置４５８には、図１３に示すように、第１の姿勢のリード部品４１０ａの外形線に応じた形状の画像データ（以下、「第１姿勢部品画像データ」と略する場合がある）と、第２の姿勢のリード部品４１０ｂの外形線に応じた形状の画像データ（以下、「第２姿勢部品画像データ」と略する場合がある）とが記憶されている。
【００４５】
そして、撮像データに基づいて演算されたリード部品４１０の上面の形状（以下、「撮像部品形状」と記載する場合がある）が、第１姿勢部品画像データに基づくリード部品４１０の形状（以下、「第１記憶部品形状」と記載する場合がある）、若しくは、第２姿勢部品画像データに基づくリード部品４１０の形状（以下、「第２記憶部品形状」と記載する場合がある）と一致するか否かが判断される。そして、撮像部品形状が第１記憶部品形状、若しくは、第２記憶部品形状と一致すると判断された場合に、その撮像部品形状に応じたリード部品４１０が、ピックアップ対象部品として設定される。
【００４６】
つまり、第１の姿勢のリード部品４１０ａおよび、第２の姿勢のリード部品４１０ｂが、ピックアップ対象部品として設定され、第３の姿勢のリード部品４１０ｃおよび、第４の姿勢のリード部品４１０ｄは、ピックアップ対象部品として設定されない。これは、第３姿勢のリード部品４１０ｃでは、上面にリード４１４が配設されており、リード４１４が邪魔になり、リード部品４１０を吸着ノズル３３２により適切に保持できないためである。また、第４姿勢のリード部品４１０ｄでは、リード部品４１０ｄの上面が水平でない等の理由により、リード部品４１０を吸着ノズル３３２により適切に保持できないためである。
【００４７】
そして、ピックアップ対象部品として設定されたリード部品４１０の位置情報などが、撮像データに基づいて演算される。次に、演算されたピックアップ対象部品の位置情報に基づいて、ピックアップ対象部品の上方に、部品保持ヘッド３０２が、部品保持ヘッド移動装置３００の作動により移動し、吸着ノズル３３２によってピックアップ対象部品が吸着保持される。なお、吸着ノズル３３２によってピックアップ対象部品が吸着保持される際に、吸着ノズル３３２は、非旋回位置に位置している。
【００４８】
次に、リード部品４１０が吸着ノズル３３２によって保持された後に、部品保持ヘッド３０２が部品キャリヤ３８８の上方に移動する。この際、部品キャリヤ３８８は、部品キャリヤ移動装置３９０の作動により、部品受取位置に移動している。また、部品保持ヘッド３０２が部品キャリヤ３８８の上方に移動する際に、吸着ノズル３３２は、旋回位置に旋回される。なお、旋回位置の吸着ノズル３３２に保持されたリード部品４１０のリード４１４が、鉛直方向での下方を向くように、吸着ノズル３３２は、ノズル回転装置３３５の作動により、旋回する。
【００４９】
部品保持ヘッド３０２が部品キャリヤ３８８の上方に移動すると、リード４１４が鉛直方向での下方を向いた状態のリード部品４１０が、部品受け部材３９２の部品受容凹部４１６内に挿入される。これにより、リード部品４１０は、図１０に示すように、リード４１４を鉛直方向での下方に向けた状態で、部品受け部材３９２に載置される。
【００５０】
そして、リード部品４１０が部品受け部材３９２に載置されると、部品キャリヤ３８８は、部品キャリヤ移動装置３９０の作動により、部品供給位置に移動する。部品供給位置に移動した部品キャリヤ３８８は、作業ヘッド６０，６２の移動範囲に位置しているため、ばら部品供給装置３２では、この位置においてリード部品４１０が部品実装機１０に供給される。このように、ばら部品供給装置３２では、リード４１４が下方を向き、リード４１４が接続された底面と対向する上面が上方を向いた状態で、リード部品４１０が供給される。このため、作業ヘッド６０，６２の吸着ノズル６６は、適切にリード部品４１０を保持することができる。
【００５１】
（ｂ）電子回路部品の部品収容容器への収容、及びステージへの散在
ばら部品供給装置３２では、部品支持部材１５０のステージ１５６の上にピックアップ対象部品が散在されている際に、散在されているピックアップ対象部品のピックアップが繰り返され、ピックアップされたピックアップ対象部品が部品受け部材３９２に載置される。そして、部品受け部材３９２の装着された部品キャリヤ３８８が部品供給位置に移動することで、リード部品４１０の供給が行われる。ただし、部品支持部材１５０のステージ１５６の上にピックアップ対象部品が散在されていない場合には、ステージ１５６からリード部品４１０をピックアップすることができない。つまり、ピックアップが可能と判断されたリード部品４１０が全てピックアップされ、ピックアップが不可能と判断されたリード部品４１０、若しくは、判別が不能と判断されたリード部品４１０がステージ１５６の上に残存している場合には、ステージ１５６からリード部品４１０をピックアップすることができない。
【００５２】
このため、ばら部品供給装置３２では、そのような場合に、ステージ１５６の上に残存しているリード部品４１０が部品収容容器１８０に回収される。そして、部品収容容器１８０に回収されたリード部品４１０が、ステージ１５６の上に、再度、散在され、リード部品４１０の姿勢が変更されることで、ステージ１５６からのリード部品４１０のピックアップが再開される。
【００５３】
具体的には、ステージ１５６の上のピックアップ対象部品が全てピックアップされると、部品支持部材１５０が、部品支持部材移動装置１５２の作動により、部品供給器８８の下方に向かって移動する。つまり、部品支持部材１５０が、露出状態（図５参照）から格納状態（図６参照）に向かって移動する。この際、部品支持部材１５０の前端部に配設されている部品収容容器１８０は、開口を上方に向けた姿勢（回収姿勢）とされている。そして、部品支持部材１５０が露出状態から格納状態に向かって移動する際に、部品支持部材１５０のステージ１５６上のリード部品４１０は、部品供給器８８の傾斜板１２８の前方側の端部によって堰き止められる。
【００５４】
さらに、部品支持部材１５０が、図６に示すように、格納状態に至るまで移動すると、ステージ１５６上のリード部品４１０が、部品収容容器１８０の内部に掻き落とされる。これにより、ステージ１５６の上のリード部品４１０が、部品収容容器１８０に回収される。このように、ステージ１５６の上のリード部品４１０が部品収容容器１８０に回収されると、その回収されたリード部品４１０が、ステージ１５６の上に補給される。
【００５５】
詳しくは、部品収容容器１８０へのリード部品４１０の回収が完了した際に、部品支持部材１５０は、図６に示すように、格納状態とされている。このため、部品支持部材１５０が、部品支持部材移動装置１５２の作動により、格納状態から前方に向かって移動する。そして、部品支持部材１５０が格納状態から所定量、前方に向かって移動したタイミングで、部品戻し装置９２の容器搖動装置１８１が作動し、部品収容容器１８０が搖動する。これにより、部品収容容器１８０の姿勢が、開口を上方に向けた姿勢（収容姿勢）から、開口をステージ１５６に向けた姿勢（戻し姿勢）に勢いよく変化する。
【００５６】
この際、部品収容容器１８０に収容されたリード部品４１０が、ステージ１５６に向かって勢いよく放出される。これにより、部品収容容器１８０からステージ１５６の上にリード部品４１０が散在される。つまり、部品収容容器１８０に回収されたリード部品４１０が、ステージ１５６に補給される。これにより、補給されたリード部品４１０の姿勢が変更され、ステージ１５６の上から、再度、リード部品４１０がピックアップされる。
【００５７】
（ｃ）リード部品の最適部品数の特定
上述したように、ばら部品供給装置３２では、ピックアップ対象部品がステージ１５６から全てピックアップされると、ステージ１５６の上のリード部品４１０が部品収容容器１８０に回収される。そして、回収されたリード部品４１０が、再度、ステージ１５６の上に散在されることで、リード部品４１０の姿勢が変更され、ステージ１５６の上から、再度、リード部品４１０がピックアップされる。
【００５８】
この際、部品収容容器１８０からステージ１５６の上に散在されるリード部品４１０が、第１の姿勢若しくは第２の姿勢になる確率、つまり、ピックアップ対象部品となる確率（以下、「保持可能確率」と記載する）は、高いことが望ましい。保持可能確率が高くなれば、部品収容容器１８０へのリード部品４１０の回収作業および、部品収容容器１８０からステージ１５６へのリード部品４１０の補給作業を行う回数が減少する。これにより、回収作業及び補給作業に要する時間の削減を行うことが可能となる。また、回収作業及び補給作業においてリード部品４１０に負荷が掛り、損傷や破損の虞があるため、回収作業及び補給作業が少なくなれば、リード部品４１０に対する負荷を少なくすることが可能となる。このようなことに鑑みて、ばら部品供給装置３２では、保持可能確率が演算される。なお、保持可能確率は、何れかの制御装置またはサーバにおいて演算されてもよい。
【００５９】
詳しくは、ばら部品供給装置３２によるリード部品４１０の供給が停止している際に、ばら部品供給装置３２では、ステージ１５６の上に散在されているリード部品４１０の総数（以下、「散在部品数」と記載する）と、ステージ１５６のピックアップ対象部品の総数（以下、「保持可能部品数」と記載する）とが繰り返し、演算される。なお、保持可能部品数は、何れかの制御装置またはサーバにおいて演算されてもよい。
【００６０】
つまり、任意の数のリード部品４１０が、部品供給器８８からステージ１５６の上に散在され、そのリード部品４１０が、部品収容容器１８０に回収される。次に、部品収容容器１８０に回収されたリード部品４１０が、ステージ１５６の上に補給される。なお、リード部品４１０の部品収容容器１８０への回収作業および、部品収容容器１８０からステージ１５６への補給作業の説明は、先に説明しているため、詳細は省略する。
【００６１】
そして、リード部品４１０の補給されたステージ１５６が、カメラ２９０により撮像され、その撮像データに基づいて、散在部品数が演算される。具体的には、撮像データに基づいて、リード部品４１０の補給されたステージ１５６のうちの、リード部品４１０が載置されていない箇所の面積が演算される。つまり、ステージ１５６が露出している箇所の面積（以下、「露出面積」と記載する）が演算される。具体的には、例えば、ステージ１５６の色が白色で、リード部品４１０の色が黒色である場合に、撮像データに基づいて、白色の箇所が抽出され、その抽出された箇所の面積が、露出面積として演算される。
【００６２】
なお、ステージ１５６の上にリード部品４１０が散在される前、つまり、何も載置されていない状態のステージ１５６が、カメラ２９０により撮像されている。そして、その撮像データに基づいて、ステージ１５６の面積（以下、「ステージ面積」と記載する）が演算されている。つまり、例えば、ステージ１５６の色が白色である場合に、撮像データに基づいて、白色の箇所が抽出され、その抽出された箇所の面積が、ステージ面積として演算されている。
【００６３】
そして、先に演算されているステージ面積から、演算された露出面積が減算されることで、ステージ１５６の上に散在されているリード部品４１０が載置されている箇所の面積が演算される。つまり、ステージ１５６の上に散在された全てのリード部品４１０が占有している面積（以下、「全部品専有面積」）が演算される。また、記憶装置４５８には、リード部品４１０が第１〜４の姿勢とされている場合を考慮して、ステージ１５６の上での１個のリード部品４１０の専有面積（以下、「単部品専有面積」）が記憶されている。このため、全部品専有面積が端部品専有面積により除されることで、ステージ１５６の上に散在されたリード部品４１０の総数、つまり、散在部品数Ｘが演算される。
【００６４】
また、露出面積を演算する際に用いられた撮像データ、つまり、リード部品４１０の補給されたステージ１５６の撮像により得られた撮像データに基づいて、保持可能部品数が演算される。この際、先に説明した第１姿勢部品画像データ及び、第２姿勢部品画像データ（図１３参照）が用いられる。具体的には、撮像データに基づいて、第１記憶部品形状および、第２記憶部品形状と一致する形状のリード部品４１０の数が演算される。これにより、第１の姿勢のリード部品４１０ａおよび、第２の姿勢のリード部品４１０ｂ、つまり、吸着ノズル３３２によりピックアップが可能と判断されたリード部品の数が、保持可能部品数Ｙとして演算される。
【００６５】
そして、散在部品数Ｘと保持可能部品数Ｙとが演算されると、散在部品数Ｘに対する保持可能部品数Ｙの比率（Ｙ／Ｘ）が、保持可能確率Ｚとして演算される。なお、保持可能確率Ｚは、種々の条件により変化するため、正確な保持可能確率を得るべく、再度、リード部品４１０の部品収容容器１８０への回収作業及び、部品収容容器１８０からステージ１５６への補給作業が実行された後に、再度、保持可能確率Ｚが演算される。
【００６６】
つまり、保持可能確率が演算された後に、リード部品４１０が部品収容容器１８０に回収され、その部品収容容器１８０に回収されたリード部品４１０が、ステージ１５６の上に補給される。そして、上記手法により、散在部品数Ｘと保持可能部品数Ｙとが演算され、散在部品数Ｘに対する保持可能部品数Ｙの比率（Ｙ／Ｘ）が、保持可能確率Ｚとして演算される。これにより、２個目の保持可能確率Ｚが演算される。
【００６７】
このように、リード部品４１０の部品収容容器１８０への回収作業，部品収容容器１８０からステージ１５６への補給作業，散在部品数Ｘと保持可能部品数Ｙとの演算が、複数回、繰り返されることで、複数の保持可能確率Ｚが演算される。そして、それら複数の保持可能確率Ｚの平均値（以下、「保持可能確率平均値」と記載する）Ｚａｖが演算される。なお、演算された保持可能確率平均値Ｚａｖに応じた散在部品数Ｘの平均値も演算される。つまり、保持可能確率平均値Ｚａｖが演算された際に用いられた複数の散在部品数Ｘの平均値（以下、「平均散在部品数」と記載する）Ｘａｖが演算される。
【００６８】
続いて、上記演算された平均散在部品数Ｘａｖと異なる部品数での保持可能確率平均値Ｚａｖが演算される。具体的には、保持可能確率平均値Ｚａｖが演算された後に、ステージ１５６に部品供給器８８からリード部品４１０が追加される。つまり、撮像結果に基づき演算されたステージ１５６の上に散在されたリード部品４１０の総数である散在部品数Ｘに不足があると判断された場合に、コンベア装置１０６が作動され、部品供給器８８からステージ１５６を介して部品収容容器にリード部品４１０が更に供給される。これにより、散在部品数は増加する。
【００６９】
そこで、部品供給器８８からステージ１５６にリード部品４１０が追加されると、リード部品４１０の部品収容容器１８０への回収作業、及び、部品収容容器１８０からステージ１５６への補給作業が実行され、散在部品数Ｘと保持可能部品数Ｙとが演算される。そして、散在部品数Ｘに対する保持可能部品数Ｙの比率（Ｙ／Ｘ）が、保持可能確率Ｚとして演算される。さらに、リード部品４１０の部品収容容器１８０への回収作業，部品収容容器１８０からステージ１５６への補給作業，散在部品数Ｘと保持可能部品数Ｙとの演算が、複数回、繰り返されることで、複数の保持可能確率Ｚが演算される。そして、それら複数の保持可能確率Ｚに基づいて、保持可能確率平均値Ｚａｖが演算される。なお、今回演算された保持可能確率平均値Ｚａｖに応じた平均散在部品数Ｘａｖも演算される。つまり、今回、保持可能確率平均値Ｚａｖが演算された際に用いられた複数の散在部品数Ｘの平均値が、今回の保持可能確率平均値Ｚａｖに応じた平均散在部品数Ｘａｖとして演算される。
【００７０】
なお、今回演算された保持可能確率平均値Ｚａｖは、部品供給器８８からステージ１５６に供給されるリード部品４１０が追加された後の値であり、先に演算された保持可能確率平均値Ｚａｖは、部品供給器８８からステージ１５６にリード部品４１０が追加される前の値である。そこで、先に演算された保持可能確率平均値Ｚａｖを、第１の保持可能確率平均値Ｚａｖ１と記載し、今回演算された保持可能確率平均値Ｚａｖを、第２の保持可能確率平均値Ｚａｖ２と記載する。
【００７１】
そして、個別制御装置４５２は、第１の保持可能確率平均値Ｚａｖ１と第２の保持可能確率平均値Ｚａｖ２とを比較し、何れの値が高いかを判断する。この際、高い値の平均値が、高確率平均値ＺＭＡＸとして、記憶装置４５８に記憶される。また、その高確率平均値ＺＭＡＸに応じた平均散在部品数Ｘａｖが、高確率平均値ＺＭＡＸと関連付けて記憶される。つまり、平均散在部品数Ｘａｖでの高確率平均値ＺＭＡＸが記憶装置４５８に記憶される。
【００７２】
また、さらに高い保持可能確率平均値Ｚａｖを検索するべく、第３の保持可能確率平均値Ｚａｖ３を特定する。つまり、部品供給器８８からステージ１５６にリード部品４１０が、更に追加され、リード部品４１０の部品収容容器１８０への回収作業、及び、部品収容容器１８０からステージ１５６への補給作業が実行される。そして、散在部品数Ｘと保持可能部品数Ｙとが演算され、散在部品数Ｘに対する保持可能部品数Ｙの比率（Ｙ／Ｘ）が、保持可能確率Ｚとして演算される。さらに、リード部品４１０の部品収容容器１８０への回収作業，部品収容容器１８０からステージ１５６への補給作業，散在部品数Ｘと保持可能部品数Ｙとの演算が、複数回、繰り返されることで、複数の保持可能確率Ｚが演算される。そして、それら複数の保持可能確率Ｚに基づいて、第３の保持可能確率平均値Ｚａｖ３が演算される。なお、第３の保持可能確率平均値Ｚａｖ３に応じた平均散在部品数Ｘａｖも演算される。つまり、第３の保持可能確率平均値Ｚａｖ３の演算時に用いられた複数の散在部品数Ｘの平均値が、第３の保持可能確率平均値Ｚａｖ３に応じた平均散在部品数Ｘａｖとして演算される。
【００７３】
そして、個別制御装置４５２は、記憶装置４５８に記憶されている高確率平均値ＺＭＡＸと、第３の保持可能確率平均値Ｚａｖ３とを比較し、何れの値が高いかを判断する。この際、記憶装置４５８に記憶されている高確率平均値ＺＭＡＸが、第３の保持可能確率平均値Ｚａｖ３より高い場合に、その記憶装置４５８に記憶されている高確率平均値ＺＭＡＸが維持される。一方、第３の保持可能確率平均値Ｚａｖ３が、記憶装置４５８に記憶されている高確率平均値ＺＭＡＸより高い場合に、その第３の保持可能確率平均値Ｚａｖ３が、新たな高確率平均値ＺＭＡＸとして、記憶装置４５８に記憶される。つまり、記憶装置４５８に記憶されている高確率平均値ＺＭＡＸが第３の保持可能確率平均値Ｚａｖ３に更新される。なお、高確率平均値ＺＭＡＸが更新される際に、平均散在部品数Ｘａｖも更新される。つまり、高確率平均値ＺＭＡＸが第３の保持可能確率平均値Ｚａｖ３に更新される際に、第３の保持可能確率平均値Ｚａｖ３に応じた平均散在部品数Ｘａｖが、高確率平均値ＺＭＡＸと関連付けて記憶される。
【００７４】
また、さらに高い保持可能確率平均値Ｚａｖを検索するべく、第４の保持可能確率平均値Ｚａｖ４、第５の保持可能確率平均値Ｚａｖ５が順次特定され、保持可能確率平均値Ｚａｖが特定される毎に、記憶装置４５８に記憶されている高確率平均値ＺＭＡＸと、特定された保持可能確率平均値Ｚａｖとが比較される。そして、特定された保持可能確率平均値Ｚａｖが、記憶装置４５８に記憶されている高確率平均値ＺＭＡＸより高い場合に、記憶装置４５８に記憶されている高確率平均値ＺＭＡＸが、新たに特定された保持可能確率平均値Ｚａｖに更新される。なお、高確率平均値ＺＭＡＸが更新される毎に、平均散在部品数Ｘａｖも更新される。つまり、高確率平均値ＺＭＡＸが、新たに特定された保持可能確率平均値Ｚａｖに更新される毎に、特定された保持可能確率平均値Ｚａｖに応じた平均散在部品数Ｘａｖが、高確率平均値ＺＭＡＸと関連付けて記憶される。
【００７５】
このように、散在部品数が徐々に増やされる毎に、保持可能確率平均値Ｚａｖが特定され、その特定された保持可能確率平均値Ｚａｖと、記憶装置４５８に記憶されている高確率平均値ＺＭＡＸとが比較される。そして、特定された保持可能確率平均値Ｚａｖが、高確率平均値ＺＭＡＸより高い場合に、高確率平均値ＺＭＡＸが、特定された保持可能確率平均値Ｚａｖに更新される。これにより、最も高い高確率平均値ＺＭＡＸが得られる。つまり、ばら部品供給装置３２では、散在部品数が変更される毎に、繰り返し高確率平均値ＺＭＡＸを特定し、最も高い高確率平均値ＺＭＡＸを演算する手法、所謂、反復学習制御の手法を利用して、最も高い高確率平均値ＺＭＡＸが特定される。
【００７６】
また、高確率平均値ＺＭＡＸが更新される毎に、更新される高確率平均値ＺＭＡＸに応じた平均散在部品数Ｘａｖが、高確率平均値ＺＭＡＸと関連付けて記憶装置４５８に記憶される。このため、記憶装置４５８に記憶されている平均散在部品数Ｘａｖのリード部品４１０を、部品収容容器１８０からステージ１５６の上に補給することで、ステージ１５６に補給されたリード部品４１０が、最も高い確率でピックアップ対象部品となる。つまり、記憶装置４５８に記憶されている平均散在部品数Ｘａｖが、ステージ１５６の上に散在される際の最適なリード部品４１０の数である。このため、記憶装置４５８に記憶されている平均散在部品数Ｘａｖが、最適部品数として特定される。
【００７７】
そして、最適部品数が特定されると、ばら部品供給装置３２によるリード部品の供給時において、部品収容容器１８０から、最適部品数のリード部品４１０が補給される。具体的には、ステージ１５６の上からピックアップ対象部品が全てピックアップされた後に、ステージ１５６が撮像され、撮像データに基づいて、ステージ１５６の上に残存しているリード部品４１０の数（以下、「残存部品数」と記載する）が演算される。この際、用いられる演算手法は、散在部品数Ｘが演算される際の演算手法と同じである。
【００７８】
そして、残存部品数が最適部品数より少ない場合に、最適部品数と残存部品数との差分が、部品供給器８８からステージ１５６に供給される。詳しくは、ステージ１５６の上からピックアップ対象部品が全てピックアップされた後に、部品支持部材１５０は、露出状態から格納状態に移動するが、その際に、部品供給器８８のコンベア装置１０６が作動する。コンベア装置１０６の作動は、最適部品数と残存部品数との差分の数のリード部品４１０が、部品供給器８８からステージ１５６に供給されるように制御される。
【００７９】
そして、部品支持部材１５０が、格納状態まで移動することで、最適部品数のリード部品４１０が部品収容容器１８０に収容される。続いて、部品支持部材１５０が、格納状態から露出状態まで移動し、部品支持部材１５０の移動中に、部品収容容器１８０が搖動する。この際、部品収容容器１８０から最適部品数のリード部品４１０が、ステージ１５６の上に補給される。これにより、ステージ１５６に補給されたリード部品４１０が、最も高い確率でピックアップ対象部品となる。
【００８０】
このように、部品収容容器１８０から最適部品数のリード部品４１０が、ステージ１５６の上に補給されるように、ばら部品供給装置３２が制御されることで、部品収容容器１８０へのリード部品４１０の回収作業および、部品収容容器１８０からステージ１５６へのリード部品４１０の補給作業の回数を少なくすることができる。これにより、回収作業及び補給作業に要する時間の削減を行うことが可能となる。また、回収作業及び補給作業におけるリード部品４１０への負荷を少なくすることが可能となる。
【００８１】
なお、上述した最適部品数の特定は、作業者が所定のボタンを操作することで実行される。つまり、ばら部品供給装置３２においてリード部品４１０の供給が実行されていない際に、その所定のボタンが操作されると、最適部品数の特定を実行するためのコマンドが出力される。そして、そのコマンドの出力に応じて、上述した最適部品数の特定が実行される。これにより、ばら部品供給装置３２が作動していない空き時間を利用して、最適部品数を特定することが可能となる。
【００８２】
ただし、上述した最適部品数の特定は、所定のボタンが操作されなくても、ばら部品供給装置３２においてリード部品４１０が供給されている際も、実行されている。つまり、ばら部品供給装置３２によるリード部品４１０の供給時において、ステージ１５６にピックアップ対象部品が無くなると、部品収容容器１８０にリード部品４１０が回収され、部品収容容器１８０に回収されたリード部品４１０が、ステージ１５６の上に補給される。この際、ステージ１５６が撮像され、その撮像データに基づいて、散在部品数Ｘと保持可能部品数Ｙとが演算される。そして、散在部品数Ｘと保持可能部品数Ｙとに基づいて、保持可能確率Ｚが演算される。このように、ばら部品供給装置３２によるリード部品４１０の供給時においても、保持可能確率Ｚが演算されることで、データ数が多くなり、精度の高い高確率平均値ＺＭＡＸを特定することが可能となる。
【００８３】
また、最適部品数が特定されると、その最適部品数を特定する際に用いられたリード部品４１０の種類に関する情報と、最適部品数とが関連付けて、記憶装置４５８に記憶される。これは、最適部品数は、供給される部品の形状，重さ等により異なるためである。これにより、供給される部品に応じて、最適部品数を変更することが可能となり、多くの種類の部品を最適な状態で補給することが可能となる。
【００８４】
さらに、最適部品数が特定されると、ばら部品供給装置３２の個別制御装置４５２は、最適部品数と、その最適部品数を特定する際に用いられたリード部品４１０の種類に関する情報とを関連付けて、サーバ４６０にアップロードする。このように、最適部品数をサーバ４６０にアップロードすることで、多くの作業者がサーバ４６０にアクセスし、複数の装置で、最適部品数を共有することができる。これにより、最適部品数の特定が行われていない他の装置でも、最適部品数を利用することが可能となる。
【００８５】
ちなみに、ばら部品供給装置３２は、部品供給装置の一例である。ステージ１５６は、ステージの一例である。カメラ２９０は、撮像装置の一例である。吸着ノズル３３２は、保持具の一例である。個別制御装置４５２は、制御装置の一例である。
【００８６】
なお、本発明は、上記実施例に限定されるものではなく、当業者の知識に基づいて種々の変更、改良を施した種々の態様で実施することが可能である。具体的には、例えば、上記実施例では、視野角の広いカメラ２９０が採用されており、ステージ１５６全体の撮像を一回で行うことができるが、視野角の狭いカメラを採用した場合に、ステージ１５６を複数のエリアに分けて、複数回、撮像してもよい。
【００８７】
また、上記実施例では、保持可能確率平均値Ｚａｖが特定される毎に、２個の保持可能確率平均値Ｚａｖが比較され、高確率平均値ＺＭＡＸが決定されるが、種々の手法により、高確率平均値ＺＭＡＸを決定してもよい。例えば、３個以上の保持可能確率平均値Ｚａｖが特定された後に、それら３個以上の保持可能確率平均値Ｚａｖのうちの最も高い平均値を、高確率平均値ＺＭＡＸとして決定してもよい。また、例えば、３番目に特定された保持可能確率平均値Ｚａｖと、７番目に特定された保持可能確率平均値Ｚａｖとを比較して、高い平均値を、高確率平均値ＺＭＡＸとして決定してもよい。つまり、保持可能確率平均値Ｚａｖが特定された順に、保持可能確率平均値Ｚａｖの比較を行う必要はない。
【００８８】
また、上記実施例では、全部品専有面積に基づいて、散在部品数Ｘが演算されているが、種々の手法により、散在部品数Ｘが演算されてもよい。例えば、撮像データに基づいて、種々の姿勢の部品の外形線を区別し、区別された外形線に基づいて、散在部品数Ｘが演算されてもよい。
【００８９】
また、上記実施例では、ステージ面積から露出面積が減算されることで、全部品専有面積が演算されているが、撮像データに基づいて、全部品専有面積が演算されてもよい。具体的に、例えば、ステージ１５６の色が白色で、リード部品４１０の色が黒色である場合に、撮像データに基づいて、黒色の箇所が抽出され、その抽出された箇所の面積が、全部品専有面積として演算されてもよい。
【００９０】
また、上記実施例では、散在部品数が徐々に増やされる毎に、保持可能確率平均値Ｚａｖと高確率平均値ＺＭＡＸとが比較されるが、散在部品数が徐々に減る毎に、保持可能確率平均値Ｚａｖと高確率平均値ＺＭＡＸとが比較されてもよい。つまり、ピックアップ対象部品がなくなり、それらの部品が部品収容容器１８０に収容され、再度、ステージ１５６に散在されるときに、保持可能確率平均値Ｚａｖと高確率平均値ＺＭＡＸとが比較されてもよい。
【００９１】
また、上記実施例では、ステージ１５６の上に散在されたリード部品４１０を撮像した後に、その数が不足していると判断された場合に部品供給器８８からリード部品４１０が供給されるが、その一回の供給数、詳しくは、動作させるコンベア装置１０６のコンベアベルト１１２を動作させる距離は部品種毎に一定とされている。
【００９２】
また、吸着ノズル３３２は非旋回位置と旋回位置との間の角度で位置決め停止させることも可能であることから、上記４つの姿勢やピックアップ対象部品の姿勢はさらに細分化して登録することも可能である。
【００９３】
また、保持具である吸着ノズル３３２を把持チャックに変更して適用することは容易である。
【００９４】
また、上記実施例では、リード部品４１０に本発明が適用されているが、種々の種類の部品に本発明を適用することが可能である。具体的には、例えば、太陽電池の構成部品，パワーモジュールの構成部品，リードを有さない電子回路部品等に、本発明を適用することが可能である。
【符号の説明】
【００９５】
３２：ばら部品供給装置（部品供給装置）    １５６：ステージ    ２９０：カメラ（撮像装置）    ３３２：吸着ノズル（保持具）    ４５２：個別制御装置（制御装置）
【図１】
2019053888.tif 000003
【図２】
2019053888.tif 000004
【図３】
2019053888.tif 000005
【図４】
2019053888.tif 000006
【図５】
2019053888.tif 000007
【図６】
2019053888.tif 000008
【図７】
2019053888.tif 000009
【図８】
2019053888.tif 000010
【図９】
2019053888.tif 000011
【図１０】
2019053888.tif 000012
【図１１】
2019053888.tif 000013
【図１２】
2019053888.tif 000014
【図１３】
2019053888.tif 000015
【国際調査報告】
2019053888.tif 000016
2019053888.tif 000017
2019053888.tif 000018
2019053888.tif 000019